(57)【要約】【課題】安定した接続構造を有する端子を提供する。【解決手段】弾性撓み部２には、対向接触部３側に突出するインデント部４が設けられ、対向接触部３の弾性撓み部２側には、相手端子のタブ部１１の挿入方向に対しインデント部４の位置より上流に前方突出部５が、インデント部４の位置より下流に後方突出部６がそれぞれ設けられて、且つ、前方突出部５と後方突出部６の間隔が相手端子のタブ部１１が進入できる寸法ｄに形成されていると共に、対向接触部３の弾性撓み部２の面で、且つ、前方突出部５と後方突出部６の間は、窪み面７に形成されている端子。【選択図】図３
2015204186.tif 000002
【特許請求の範囲】
【請求項１】
相手端子が挿入される箱部と、前記箱部の内部に配置された弾性撓み部と、前記弾性撓み部の対向側に配置された対向接触部とを有し、前記弾性撓み部と前記対向接触部の間に挿入された相手端子のタブ部が前記弾性撓み部の撓み変形によって挿入され、前記タブ部が前記弾性撓み部の撓み復帰力を接触荷重として接触する端子において、
前記弾性撓み部には、前記対向接触部側に突出するインデント部が設けられ、前記対向接触部の前記弾性撓み部側には、前記相手端子の前記タブ部の挿入方向に対し前記インデント部の位置より上流に前方突出部が、前記インデント部の位置より下流に後方突出部がそれぞれ設けられて、且つ、前記前方突出部と前記後方突出部の間隔が前記相手端子の前記タブ部が進入できる寸法に形成されていると共に、前記対向接触部の前記弾性撓み部の面で、且つ、前記前方突出部と前記後方突出部の間は、窪み面に形成されていることを特徴とする端子。
【請求項２】
前記後方突出部に接続された前記窪み面の箇所は、曲面であることを特徴とする請求項１に記載の端子。
【請求項３】
前記後方突出部に接続された前記窪み面の箇所は、テーパ面であることを特徴とする請求項１に記載の端子。
【発明の詳細な説明】
【技術分野】
【０００１】
この発明は、端子に係り、詳細には安定した接続構造を有する端子に関する。
【背景技術】
【０００２】
従来、図１１に示すように、相手端子が挿入される箱部と、箱部の内部に配置された弾性撓み部と、弾性撓み部の対向側に配置された対向接触部とを有する。弾性撓み部と対向接触部の互いの対向位置に互いに向かって突出するインデント部２３、１６ａがそれぞれ設けられている。特許文献１を参照。
【０００３】
また、特許文献２（３点接触）を参照するに、図１２に示すように、第１接点Ａ１０、Ａ２０は板部（底板）８０より突出している。よって、突出分雌端子１００自体が高さ方向に大きくなっている。
【先行技術文献】
【特許文献】
【０００４】
【特許文献１】特開２０００−１５００４１号公報
【特許文献２】特開２００６−６３９６１号公報
【発明の概要】
【発明が解決しようとする課題】
【０００５】
相手端子のタブ部の挿入に際しては、弾性撓み部を撓み変形させて挿入する必要がある。一方、挿入完了位置では、弾性撓み部の撓み復帰力が接触荷重とする。そのため、端子挿入過程では低挿入力での挿入ができなく、また、挿入完了位置では強い接触荷重を得ることできない。しかも、２点のインデント部での接触であるため、接触状態が安定しないことから接触抵抗が不安定で、耐振動性が悪いという問題があった。
【０００６】
さらに、高さを高くすることなくオスタブ挿入（コネクタ嵌合）過程での挿入力を下げ、又、接触の安定したコネクタ端子を作成する必要がある。
【０００７】
そこで、高さを抑え端子挿入過程では低挿入力で挿入でき、挿入完了位置では強い接触荷重を得ることでき、しかも、接触状態が安定して接触抵抗が安定すると共に耐振動性が良い端子を提供することを目的とする。
【課題を解決するための手段】
【０００８】
本発明は上述の問題を解決するためのものであり、請求項１に係る発明は、相手端子が挿入される箱部と、前記箱部の内部に配置された弾性撓み部と、前記弾性撓み部の対向側に配置された対向接触部とを有し、前記弾性撓み部と前記対向接触部の間に挿入された相手端子のタブ部が前記弾性撓み部の撓み変形によって挿入され、前記タブ部が前記弾性撓み部の撓み復帰力を接触荷重として接触する端子において、前記弾性撓み部には、前記対向接触部側に突出するインデント部が設けられ、前記対向接触部の前記弾性撓み部側には、前記相手端子の前記タブ部の挿入方向に対し前記インデント部の位置より上流に前方突出部が、前記インデント部の位置より下流に後方突出部がそれぞれ設けられて、且つ、前記前方突出部と前記後方突出部の間隔が前記相手端子の前記タブ部が進入できる寸法ｄに形成されていると共に、前記対向接触部の前記弾性撓み部の面で、且つ、前記前方突出部と前記後方突出部の間は、窪み面に形成されている端子。
【０００９】
請求項２に係る発明は、前記後方突出部に接続された前記窪み面の箇所は、曲面である端子。
【００１０】
請求項３に係る発明は、前記後方突出部に接続された前記窪み面の箇所は、テーパ面である端子。
【発明の効果】
【００１１】
本発明によれば、相手端子のタブ部の箱部への挿入過程では、タブ部の先端が窪み面側の空間に進入しつつ奥に挿入でき、弾性撓み部の撓み変形を極力小さくした状態での挿入が可能であり、挿入完了位置ではインデント部と前方突出部と後方突出部の３点でタブ部に接触する。以上より、端子挿入過程では低挿入力で挿入でき、挿入完了位置では強い接触荷重を得ることでき、しかも、接触状態が安定して接触抵抗が安定すると共に耐振動性が良いという効果を奏する。
【図面の簡単な説明】
【００１２】
【図１】端子を説明する説明図である。
【図２】ハウジング構造を説明する説明図である。
【図３】端子の箱部の構造を説明する説明図である。
【図４】比較例を示す図である。
【図５】端子へのタブの挿入を説明する説明図である。
【図６】図５の一部分の拡大図である。
【図７】第２実施例を説明する説明図である。
【図８】図７の一部分の拡大図である。
【図９】端子へのタブの挿入を説明する説明図である。
【図１０】比較例を示す図である。
【図１１】従来の技術を説明する従来図である。
【図１２】従来の技術を説明する従来図である。
【発明を実施するための形態】
【００１３】
以下、本発明の実施形態を図面を参照して説明する。
【００１４】
図１を参照する（第１実施形態）。安定した接触を確保する為の端子は、箱部１と、電線のシール性を確保するためのゴム栓１Ａを備えている。図２を参照する。外部からの絶縁を確保するためのハウジング１Ｂである。
【００１５】
図３を参照する。相手端子が挿入される箱部１と、前記箱部１の内部に配置された弾性撓み部２と、前記弾性撓み部２の対向側に配置された対向接触部３とを有し、前記弾性撓み部２と前記対向接触部３の間に挿入された相手端子のタブ部１１が前記弾性撓み部２の撓み変形によって挿入され、前記タブ部１１が前記弾性撓み部２の撓み復帰力を接触荷重として接触する端子である。
【００１６】
そして、前記弾性撓み部２には、前記対向接触部３側に突出するインデント部４が設けられ、前記対向接触部３の前記弾性撓み部２側には、前記相手端子の前記タブ部１１の挿入方向に対し前記インデント部４の位置より上流に前方突出部５が、前記インデント部４の位置より下流に後方突出部６がそれぞれ設けられて、且つ、前記前方突出部５と前記後方突出部６の間隔が前記相手端子の前記タブ部が進入できる寸法ｄに形成されていると共に、前記対向接触部３の前記弾性撓み部２側の面で、且つ、前記前方突出部５と前記後方突出部６の間は窪み面７に形成されている。この窪み面７の前後側の前記前方突出部５と前記後方突出部６とが接点部になっている。
【００１７】
図４の比較例を参照する。本発明とは異なり対向接触部１３はフラットに形成されている。
【００１８】
図５、図６を参照する。前記後方突出部６に接続された前記窪み面７の箇所は、曲面７ａである。すなわち、窪み面７は、凹状の湾曲形状となっており接点部付近はＲ形状となっており曲面的に連続している。この曲面は打ち出し加工により形成される。これにより、タブ部１１の挿入がスムーズにでき、又、タブ部１１のエッジとの引っ掛かりが無く挿入出来る為、メッキはがれを防止でき電気的導通の信頼性を確保できる。
【００１９】
図９を参照し、相手端子のタブ部１１が曲面７ａに沿って挿入される動作を説明する。雄雌のコネクタの嵌合時弾性撓み部２に押圧力が掛かるが窪み面７の空間にタブ部１１の先端側は逃げるため、挿入過程では嵌合力が下がるという効果を奏する。
【００２０】
図１０の比較例を参照する。図９に対し、雄雌のコネクタの嵌合時弾性撓み部２に押圧力が掛かる。しかし、フラットな面であるため、挿入過程では嵌合力が変わらない。
【００２１】
図７、図８を参照する（第２実施形態）。前記後方突出部６ａに接続された前記窪み面７の箇所は、テーパ面７ｂである。このテーパ面７ｂは打ち出し加工により形成される。端子挿入過程で、相手端子のタブ部１１の先端が窪み面を摺動しつつ挿入する場合に、タブ部１１の先端が窪み面７のテーパ面７ｂを摺動しつつ案内されることによって後方突出部６ａに突き当たることなくスムーズに乗り越えて挿入完了位置まで挿入される。これによって、タブ部１１の挿入がスムーズにできる。
【００２２】
この発明は前述の発明の実施形態に限定されることなく、適宜な変更を行うことにより、その他の態様で実施し得るものである。
【符号の説明】
【００２３】
１  箱部
２  弾性たわみ部
３  対向接触部
４  インデント部
５  前方突出部
６  後方突出部
７  窪み面
７ａ  曲面
７ｂ  テーパ面
【図１】
2015204186.tif 000003
【図２】
2015204186.tif 000004
【図３】
2015204186.tif 000005
【図４】
2015204186.tif 000006
【図５】
2015204186.tif 000007
【図６】
2015204186.tif 000008
【図７】
2015204186.tif 000009
【図８】
2015204186.tif 000010
【図９】
2015204186.tif 000011
【図１０】
2015204186.tif 000012
【図１１】
2015204186.tif 000013
【図１２】
2015204186.tif 000014